(57)【特許請求の範囲】
【請求項１】
合成樹脂製のバケットと、該バケットを保持したバケット保持部及び該バケット保持部に連なるハンドルとを有する手動運搬具において、前記バケットは、周縁の一部に周方向に長い凹所を有しており、該凹所の底面と向き合う底板部と、該底板部の幅方向両端に立設された側板部とを有する板からなる杆体が前記凹所に設けられており、前記底板部に前記バケットの周縁の一部が取付けられていることを特徴とする手動運搬具。
【請求項２】
前記凹所はバケットの底壁裏面に設けられており、該凹所とバケットの周縁との間に前記凹所の長手方向に複数の凹凸となる凹凸部を有している請求項１記載の手動運搬具。
【請求項３】
前記凹所はバケットの底壁裏面に突設された二つの凸条の間に設けられており、該凹所の底部に、長手方向に離間して複数の凸片を有している請求項１又は２記載の手動運搬具。
【発明の詳細な説明】
【０００１】
【発明の属する技術分野】
本発明は積雪した雪等を運搬するための手動運搬具に関する。
【０００２】
【従来の技術】
路上等に積雪した雪を運搬して除雪するための手動運搬具、換言すればスノーカートは、角形のバケットと、左右に離間するバケット保持部と、該バケット保持部の後端に連なり、平面視がコ字形のハンドルと、前記バケット保持部の後端間に結合された足踏杆とを備えており、バケット保持部に前記バケットが保持されている。
【０００３】
バケット保持部とハンドル及び足踏杆は剛性を確保するために金属パイプからなり、また、バケットは軽量にするために成形された合成樹脂からなる。このバケットは、一縁部を除いた周縁に半円形の湾曲片が突設されており、該湾曲片が前記バケット保持部及び足踏杆に上方から嵌合され、湾曲片とバケット保持部及び足踏杆に穿設された貫通孔にリベットを挿入し、該リベットの端部をかしめることによりバケットをフレームに取付けてある。
【０００４】
また、前記バケットの周縁の一部を包被する金属製の包被薄板を有するスノーカートが知られている。前記包被薄板は前記抵抗を小さくすべく０．３ｍｍ程度の薄肉に形成されている。
【０００５】
以上のように構成されたスノーカートは、バケットの周縁の一部裏面を地面又は雪面に接触させた状態で足踏杆を前方へ踏み込むことによりバケットの周縁の一部を積雪中に押し込み、積雪された雪をバケット内に入れる。この状態でハンドルを押しつつ地面又は雪面上を移動させることにより適宜の場所へ雪を運搬する。この運搬された雪は、バケットの一縁を支点としてスノーカートの全体を前方へ回動させたり、バケットの左部又は右部を支点としてスノーカートの全体を側方へ回動させたりすることにより、バケット内の雪が捨てられる。
【０００６】
【発明が解決しようとする課題】
ところが、合成樹脂製のバケットを有するスノーカートにあっては、積雪された雪をバケット内に入れるとき、及びバケット内の雪が捨てられるとき、バケットの周縁の一部に比較的大きな負荷が加わり、該一縁部が破損し易いと言う問題があった。
【０００７】
また、バケットの周縁の一部に金属製の薄い包被薄板を有するスノーカートにあっては、バケットの左部又は右部を支点としてスノーカートの全体を側方へ回動させることによりバケット内の雪を捨てる場合等、バケットの周縁の一部に偏荷重が加わったとき、バケットの周縁の一部に捩じれが発生し、この捩じれの繰り返しによってバケットの周縁の一部が破損し易く、改善策が要望されていた。
【０００８】
本発明はかかる事情に鑑みてなされたものであって、バケットの周縁の一部に凹所を設け、該凹所に杆体を設けたことにより、バケットの周縁の一部の挿入抵抗を小さくすることができるとともに、偏荷重によるバケットの周縁の一部の捩じれを抑制することができる手動運搬具を提供することにある。
【０００９】
また、杆体の両端をバケット保持部に結合し、途中にバケットの周縁の一部を取付けたことにより、バケット保持部の強度を高めることができるとともに、偏荷重によるバケットの周縁の一部の捩じれを抑制することができる手動運搬具を提供することにある。
【００１０】
また、前記凹所と向き合う底板部の幅方向両端に側板部が立設された板からなる杆体を用い、該杆体の底板部にバケットの周縁の一部を取付けたことにより、偏荷重によるバケットの周縁の一部の捩じれをより一層抑制することができる手動運搬具を提供することにある。
【００１１】
さらに、バケットの底壁裏面に凹所を設け、該凹所とバケットの周縁の一部との間に凹凸部を設けたことにより、偏荷重によるバケットの周縁の一部の捩じれをさらに抑制することができ、バケットの耐久性をより一層高めることができる手動運搬具を提供することにある。
【００１２】
また、バケットの底壁裏面に突設された二つの凸条によって凹所を設け、該凹所の底部に、長手方向に離間して複数の凸片を突設したことにより、偏荷重によるバケットの周縁の一部の捩じれをより一層抑制することができ、バケットの耐久性をより一層高めることができる手動運搬具を提供することにある。
【００１３】
【課題を解決するための手段】
第１発明に係る手動運搬具は、合成樹脂製のバケットと、該バケットを保持したバケット保持部及び該バケット保持部に連なるハンドルとを有する手動運搬具において、前記バケットは、周縁の一部に周方向に長い凹所を有しており、該凹所の底面と向き合う底板部と、該底板部の幅方向両端に立設された側板部とを有する板からなる杆体が前記凹所に設けられており、前記底板部に前記バケットの周縁の一部が取付けられていることを特徴とする。
【００１４】
第１発明にあっては、バケットの周縁の一部に設けられた凹所に杆体が設けられているため、バケットの周縁の一部の挿入抵抗を比較的小さくしつつ、杆体によってバケットの周縁の一部を補強することができ、偏荷重によるバケットの周縁の一部の捩じれを抑制することができ、バケットの耐久性を高めることができる。しかも、杆体は断面コ字形に形成されているため、偏荷重によるバケットの周縁の一部の捩じれをさらに抑制することができ、バケットの耐久性をより一層高めることができる。
【００１９】
第２発明に係る手動運搬具は、前記凹所はバケットの底壁裏面に設けられており、該凹所とバケットの周縁との間に前記凹所の長手方向に複数の凹凸となる凹凸部を有していることを特徴とする。
【００２０】
第２発明にあっては、バケットの周縁の一部に加わる偏荷重を凹凸部の凸片によって分散させることができるため、凹部内の杆体及び凹凸部によってバケットの周縁の一部の強度を高めることができるため、偏荷重によるバケットの周縁の一部の捩じれをより一層抑制することができ、バケットの耐久性をより一層高めることができる。
【００２１】
第３発明に係る手動運搬具は、前記凹所はバケットの底壁裏面に突設された二つの凸条の間に設けられており、該凹所の底部に、長手方向に離間して複数の凸片を有していることを特徴とする。
【００２２】
第３発明にあっては、二つの凸条及び凹所内の凸片によってバケットの周縁の一部の強度を高めることができるため、偏荷重によるバケットの周縁の一部の捩じれをより一層抑制することができ、バケットの耐久性をより一層高めることができる。
【００２３】
【発明の実施の形態】
以下本発明をその実施の形態を示す図面に基づいて詳述する。
図１は本発明に係る手動運搬具の斜視図、図２はバケットを取外した状態の斜視図、図３は図１のＩＩＩ  −ＩＩＩ  線の拡大断面図である。
【００２４】
本発明に係る手動運搬具は、左右方向に離間して向き合う二つの杆部材からなるバケット保持部１１，１１と、該バケット保持部１１，１１の後端に連なる平面視コ字形のハンドル１２及び該バケット保持部１１，１１の後端間に結合された足踏杆１３とを有するフレーム１の前記バケット保持部１１，１１に合成樹脂製で略角形のバケット２が保持されている。
【００２５】
フレーム１のバケット保持部１１，１１及びハンドル１２は１本のパイプの曲げ加工によって一体に形成されている。ハンドル１２はバケット保持部１１，１１に対して側面視で斜め上方に傾斜している。
バケット保持部１１，１１の前端間には杆体３が結合されており、該杆体３とバケット保持部１１，１１及び足踏杆１３とによって矩形の枠が形成されている。
【００２６】
図４は手動運搬具のバケット側を拡大した底面図、図５はバケットの周縁の一部の底面図である。
バケット２は図３に示すように前後方向中央よりも後側から前縁（周縁の一部）に至るに従って浅底となる底壁２ａと、該底壁２ａの左右両端に連なる側壁２ｂ，２ｂとを有している。また、底壁２ａの後縁と側壁２ｂ，２ｂの上縁とには半円形の湾曲片２ｃが突設されており、該周縁の湾曲片２ｃが前記バケット保持部１１，１１及び足踏杆１３に上方から嵌合され、湾曲片２ｃとバケット保持部１１，１１及び足踏杆１３に穿設された貫通孔２１，１４にリベット４を挿入し、該リベット４の端部をかしめることによりバケット２をフレーム１に取付けてある。
【００２７】
バケット２の周縁の一部、詳しくは底壁２ａの一縁部裏面には左右方向に長い凹所２２と、左右方向に複数の凹凸となる凹凸部２３とが夫々両端に亘って成形されており、さらに、前記凹所２２から後方に向けて長くなる複数の凸片２４が両端に亘って成形されている。
【００２８】
凹所２２は周縁（前縁）と略平行に突設された二つの凸条２５，２６の間に設けられており、また、凹凸部２３は前記凸条２５の一つと前記前縁との間に設けられている。
【００２９】
凹所２２の底部には長手方向に離間して複数の凸片２７が突設されており、該凸片２７の複数、詳しくは中央部の凸片２７ａ及び該凸片２７ａに対して離間した二つの凸片２７ｂ，２７ｂには貫通孔２８を有する円形の受座２９ａ，２９ｂ，２９ｃが設けられている。
凹所２２の凸片２７と、凹凸部２３の凸片２３ａと、凸片２４とは図５に示すようにほぼ等間隔で突設されているが、その間隔は異なってもよい。
【００３０】
図６は杆体の斜視図、図７は連結板を杆体から取外した状態の斜視図、図８は杆体の底面側斜視図である。
杆体３は金属板を曲げ加工することにより成形されており、前記バケット保持部１１，１１の前端に両端が結合され、前記凹所２２の底面と向き合う底板部３ａと、該底板部３ａの幅方向両端に立設された側板部３ｂ，３ｂとによって断面コ字形に形成されている。
【００３１】
底板部３ａには長手方向に離間して内側へ突設された複数の取付座３１ａ，３１ｂ，３１ｃと、中央の取付座３１ｂから両端の取付座３１ａ，３１ｃに向けて長い凸条３２，３２とを有しており、前記貫通孔２８に符合する貫通孔３３が取付座３１ａ，３１ｂ，３１ｃに穿設されている。
【００３２】
取付座３１ａ，３１ｂ，３１ｃは底板部３ａの裏面が凹むように設けられており、この凹み部に前記リベット４の端部が入るようにしてある。また、杆体３の内側で、長手方向中央部には前記側板部３ｂ，３ｂの上縁を連結する連結板３４が結合されており、さらに、前記底板部３ａの両端には前記バケット保持部１１，１１の前端に溶接によって結合される結合片３５，３５が突設されている。また、前記連結板３４には前記貫通孔３３に符合する貫通孔３４ａが穿設されている。
【００３３】
図９の（ａ）  は図１のａ−ａ線の拡大断面図、（ｂ）  は図１のｂ−ｂ線の拡大断面図、（ｃ）  は図１のｃ−ｃ線の拡大断面図である。
このように形成された杆体３は側板部３ｂ，３ｂの上縁が前記凹所２２の底面、詳しくは凹所２２に突設された凸片２７と当接するように前記バケット保持部１１，１１の前端に溶接によって結合される。
【００３４】
この杆体３とバケット２の底壁２ａとは、両側の受座２９ａ，２９ｃが両側の取付座３１ａ，３１ｃに当接し、中央部の受座２９ｂが連結板３４に当接する。この状態で受座２９ａ，２９ｃ及び取付座３１ａ，３１ｃに穿設された貫通孔にリベット４を挿入し、さらに、受座２９ｂ、取付座３１ｂ及び連結板３４に穿設された貫通孔２８，３３，３４ａにリベット４を挿入し、該リベット４の端部をかしめることによりバケット２における底壁２ａの一縁部を杆体３に固定する。
【００３５】
以上のように構成された手動運搬具は、バケット２における底壁２ａの一縁部裏面に凹所２２と凹凸部２３とが設けられており、さらに、凹所２２に杆体３が固定されており、該杆体３の両端がフレーム１におけるバケット保持部１１，１１の前端に結合されているため、バケット２の左部又は右部を支点として手動運搬具の全体を側方へ回動させたりすることにより、バケット２内の雪が捨てられる場合等、バケット２の周縁の一部に偏荷重が加わる場合においても、バケット２における周縁の一部の捩じれを抑制することができ、バケット２の耐久性を高めることができる。
【００３６】
しかも、前記凹所２２及び凹凸部２３は、複数の凸条２５，２６と、凸片２３ａとによって形成されているため、バケット２における周縁の一部の捩じれをより一層抑制することができる。さらに、凹所２２内に突設された凸片２７及び凹所２２の外側に突設された凸片２４によって前記周縁の一部の捩じれをさらに抑制することができる。
【００３７】
尚、以上説明した実施の形態では、底板部３ａ及び側板部３ｂ，３ｂを有する断面コ字形の杆体３を設けたが、その他、この杆体３は前記底板部３ａと該底板部３ａの幅方向一端に立設された側板部３ｂを有するように断面略Ｌ字形に形成されてもよく、その断面形状は特に制限されない。また、断面コ字形である場合、前記連結板３４をなくした形状としてもよい。
【００３８】
また、以上説明した実施の形態では、杆体３の両端をバケット保持部１１，１１の前端に結合し、途中にバケット２の一縁部をリベット４によって固定したが、その他、バケット２の一縁部を杆体３に固定することなく前記凹所２２に杆体３を入れることにより前記一縁部の強度を高めるようにしてもよいし、また、杆体３の両端を結合することなく、該杆体３を前記凹所２２に固定することにより前記一縁部の強度を高めるようにしてもよい。また、リベット４で固定する他、ねじで固定、又は着脱可能に取付けてもよい。
また、バケット２の一縁部に凹所２２と凹凸部２３とを設けたが、凹凸部２３はなくてもよい。
【００３９】
【発明の効果】
第１発明によれば、バケットの周縁の一部の挿入抵抗を比較的小さくしつつ、偏荷重によるバケットの周縁の一部の捩じれを抑制することができ、バケットの耐久性をより一層高めることができる。
【００４２】
第２発明によれば、偏荷重によるバケットの周縁の一部の捩じれをより一層抑制することができ、バケットの耐久性をより一層高めることができる。
【００４３】
第３発明によれば、偏荷重によるバケットの周縁の一部の捩じれをより一層抑制することができ、バケットの耐久性をより一層高めることができる。
【図面の簡単な説明】
【図１】本発明に係る手動運搬具の斜視図である。
【図２】本発明に係る手動運搬具のバケットを取外した状態の斜視図である。
【図３】図１のＩＩＩ  −ＩＩＩ  線の拡大断面図である。
【図４】本発明に係る手動運搬具のバケット側を拡大した底面図である。
【図５】本発明に係る手動運搬具のバケットの周縁の一部の底面図である。
【図６】本発明に係る手動運搬具の杆体の斜視図である。
【図７】本発明に係る手動運搬具の連結板を杆体から取外した状態の斜視図である。
【図８】本発明に係る手動運搬具の杆体の底面側斜視図である。
【図９】（ａ）  は図１のａ−ａ線の拡大断面図、（ｂ）  は図１のｂ−ｂ線の拡大断面図、（ｃ）  は図１のｃ−ｃ線の拡大断面図である。
【符号の説明】
１１  バケット保持部
１２  ハンドル
２    バケット
２ａ  底壁
２２  凹所
２３  凹凸部
２７  凸片
３    杆体
３ａ  底板部
３ｂ  側板部
【図１】
0003586791.tif 000002
【図２】
0003586791.tif 000003
【図３】
0003586791.tif 000004
【図４】
0003586791.tif 000005
【図５】
0003586791.tif 000006
【図６】
0003586791.tif 000007
【図７】
0003586791.tif 000008
【図８】
0003586791.tif 000009
【図９】
0003586791.tif 000010